(57)【要約】      （修正有）【課題】動画像データの中から着目すべき監視対象を迅速かつ正確に特定し、適切な経営指導を行い得る店舗管理システムを提供する。【解決手段】店舗管理システムは、監視エリア内を撮像する撮像部と、撮像された動画像データを記憶する第１の動画像データ記憶部３１と、記憶されている動画像データから、時刻情報に基づいてフレームを特定するフレーム特定部３２と、フレーム特定部３２で特定されたフレームを開始フレームとする撮像時間内の動画像データの切り出しを指示する動画像データ切出指示部３３と、動画像データ切出指示部３３で指示された切出動画像データを受信する動画像データ受信部３４と、外部の端末により入力され、監視エリア内で行われるタスクに対する評価情報を受け付ける評価情報受付部３６と、動画像データ受信部３４で受信された切出動画像データと評価情報を対応付けて記憶する第２の動画像データ記憶部３５と、を備える。【選択図】図２
2020027384.tif 000002
【特許請求の範囲】
【請求項１】
所定の監視エリア内を撮像する撮像部と、
該撮像部で撮像された動画像データを記憶する第１の動画像データ記憶部と、
該第１の動画像データ記憶部に記憶されている動画像データから、所定の時刻情報に基づいて所定のフレームを特定するフレーム特定部と、
前記第１の動画像データ記憶部に対して、前記フレーム特定部で特定されたフレームを開始フレームとする所定の撮像時間内の動画像データの切り出しを指示する動画像データ切出指示部と、
該動画像データ切出指示部で指示された切出動画像データを受信する動画像データ受信部と、
外部の端末により入力され、前記監視エリア内で行われる所定のタスクに対する評価情報を受け付ける評価情報受付部と、
前記動画像データ受信部で受信された切出動画像データと前記評価情報を対応付けて記憶する第２の動画像データ記憶部と、を備える
店舗管理システム。
【請求項２】
前記店舗管理システムは、前記監視エリア内において、前記撮像部が撮像した人の顔画像により特定の人物の認証を行う認証部、該認証部で認証した特定の人物の前記監視エリア内における滞在開始から滞在終了までの滞在時間を計時する滞在時間計時部、該滞在時間計時部で計時した特定の人物の滞在時間が予め設定された設定時間以上であると判断された場合に異常を検知する異常検知部、を有する動画像解析部をさらに備え、
前記フレーム特定部は、前記異常検知部で異常を検知した際に前記滞在時間計時部に記憶されている滞在開始の時刻情報に基づいて所定のフレームを特定する
請求項１に記載の店舗管理システム。
【請求項３】
前記評価情報受付部は、監視対象となる所定のタスクの開始時刻情報及び前記タスクに対応する所定の評価項目情報を含む評価シートが記憶される評価シート記憶部、及び該評価シート記憶部に記憶されている複数の評価シートの中から特定の評価シートを決定する評価シート決定部を有し、
前記フレーム特定部は、前記評価シート決定部で決定された評価シートに含まれる前記開始時刻情報に基づいて所定のフレームが特定される
請求項１または請求項２に記載の店舗管理システム。
【請求項４】
前記評価情報受付部は、外部端末により入力された所定の時刻情報を受け付ける時刻情報受付部を有し、
前記フレーム特定部は、前記時刻情報受付部で受け付けられた所定の時刻情報に基づいて所定のフレームが特定される
請求項１から請求項３の何れか一項に記載の店舗管理システム。
【請求項５】
前記第２の動画像データ記憶部には、前記動画像データ受信部で受信された前記切出動画像データと前記評価シート決定部で決定された評価シートが対応付けて記憶される
請求項１から請求項４の何れか一項に記載の店舗管理システム。
【請求項６】
前記撮像部は複数の監視エリアに対応する複数の撮像部から構成され、
前記動画像データ切出指示部は、前記複数の撮像部で撮像された動画像データの中から前記評価情報受付部で受け付けられた前記評価情報と対応付けられた少なくとも１つの前記撮像部に対応する動画像データの切り出しを指示する
請求項１から請求項５の何れか一項に記載の店舗管理システム。
【請求項７】
前記評価情報受付部は、外部端末から入力されるとともに、前記切出動画像データに対応するコメントを作成するコメント作成部を有し、
前記第２の動画像データ記憶部には、前記動画像データ切出部で切り出された動画像データ、及び前記コメント作成部で作成されたコメントが対応付けて記憶される
請求項１から請求項６の何れか一項に記載の店舗管理システム。
【請求項８】
前記コメント作成部は、前記動画像データから所定の２以上の動画像データが選択されてコメントが作成される
請求項７に記載の店舗管理システム。
【請求項９】
所定の監視エリア内を撮像する撮像部により撮像された動画像データから、所定の時刻情報に基づいて所定のフレームを特定するフレーム特定部と、
該フレーム特定部で特定されたフレームを開始フレームとする所定の撮像時間内の動画像データの切り出しを指示する動画像データ切出指示部と、
該動画像データ切出指示部で指示された切出動画像データを受信する動画像データ受信部と、
前記監視エリア内で行われる所定のタスクに対する評価情報を受け付ける評価情報受付部と、
前記切出動画像データと前記評価情報を対応付けて記憶する動画像データ記憶部と、を備える
管理サーバー。
【請求項１０】
所定の監視エリア内を撮像部により撮像するステップと、
前記撮像部で撮像された動画像データを第１の動画像データ記憶部に記憶するステップと、
前記第１の動画像データ記憶部に記憶されている動画像データから、所定の時刻情報に基づいて所定のフレームを特定するステップと、
前記第１の動画像データに対して、前記所定のフレームを開始フレームとする所定の撮像時間内の動画像データの切り出しを、前記第１の動画像データに対して指示するステップと、
切り出された切出動画像データを受信するステップと、
前記監視エリア内で行われる所定のタスクに対する評価情報を受け付けるステップと、
前記切出動画像データと前記評価情報を対応付けて第２の記憶部に記憶するステップと、を備える
店舗管理方法。
【発明の詳細な説明】
【技術分野】
【０００１】
本発明は、店舗管理システム、管理サーバー、及び店舗管理方法に関する。詳しくは、動画像データの中から着目すべき監視対象を迅速かつ正確に特定し、適切な経営指導を行い得る店舗管理システム、管理サーバー、及び店舗管理方法に係るものである。
【背景技術】
【０００２】
一般に、コンビニエンスストア等の小売業や外食産業等のサービス業において普及しているフランチャイズチェーン（以下、「ＦＣ」という。）は、各店舗を統括するＦＣ本部に所属するスーパーバイザーが、各自担当する店舗を巡回しながら店舗状況を監視して、各店舗の店長や従業員に対して経営指導、販売促進の広告、店舗運営のための改善提案等が行われている。
【０００３】
このようなＦＣ本部のスーパーバイザーは、店舗の経営指導を行うために、ほぼ毎日のように担当する店舗を巡回して、店舗内外の清掃状況、従業員の服装や接客形態、商品の管理や陳列の状況等、店舗運営の指導に必要な多数の情報を収集するために各店舗を常に監視し、状況把握しておくことが求められている。
【０００４】
一方、近年の人手不足を背景に、１人のスーパーバイザーが担当する店舗数も増加しているが、１日に巡回できる店舗数には限界があるため、業務効率の観点からも、スーパーバイザーがＦＣ本部にいながら店舗監視を行うシステムの開発が求められる。さらに、ＦＣに限らず、業務形態として１人の店舗オーナーが複数の店舗を経営する場合も想定されるが、このようなオーナーにおいても、複数の店舗間を行き来することなく、１つの店舗内において他の店舗の監視業務を行うことができれば、店舗運営をより効率的に行うことができる。
【０００５】
そこで、例えば特許文献１には、ＦＣ加盟店等の複数の店舗の内外の状況を監視カメラとマイクロホンにより遠隔監視し、これら監視カメラ等で得られた画像、音声情報をＦＣ本部で受信し、受信した画像、音声情報に基づいて経営指導を行う店舗管理システムが開示されている。
【０００６】
具体的には、各店舗の内外に設置されている監視カメラ、及びマイクロホンから収集した画像や音声データをＦＣ本部で受信し、オペレーターであるスーパーバイザーは、受信した画像や音声データに基づいて店員の服装の乱れ、来客への挨拶、店員の接客についての態度、接客方法がマニュアル通りに正しくできているか等の監視が行われる。そして、従業員の業務遂行において指導改善項目がある場合は、その内容を入力装置により入力してデータベースに蓄積し、後日、評価内容を各店舗の店長や評価対象となる従業員にフィードバックすることにより、スーパーバイザーは各店舗に出向かなくとも、ＦＣ本部に在籍したまま各店舗の監視、経営指導等を行うことができるものとなっている。
【先行技術文献】
【特許文献】
【０００７】
【特許文献１】特開２００２−３６６６２１号公報
【発明の概要】
【発明が解決しようとする課題】
【０００８】
ところで、スーパーバイザー等の管理監督者が店舗状況を監視する際には、例えば、毎日の定時に行われる清掃作業、商品の棚卸や検品作業、混雑時間帯の接客対応等、監視すべき項目が管理マニュアル等によりある程度決められている場合が多い。一方、前記した特許文献１に開示の店舗管理システムにおいては、各店舗で記録された映像や音声データの全てがＦＣ本部に送信されるため、オペレーターは各店舗から送信されてきた全ての映像・音声データの中から監視対象となる作業項目に対応する時間帯の映像等を探し出す必要があり、必ずしも効率的なものとはなっていない。
【０００９】
本発明は、以上の点に鑑みて創案されたものであり、動画像データの中から着目すべき監視対象を迅速かつ正確に特定し、適切な経営指導を行い得る店舗管理システム、管理サーバー、及び店舗管理方法を提供することを目的とする。
【課題を解決するための手段】
【００１０】
前記の目的を達成するために、本発明の店舗管理システムは、所定の監視エリア内を撮像する撮像部と、該撮像部で撮像された動画像データを記憶する第１の動画像データ記憶部と、該第１の動画像データ記憶部に記憶されている動画像データから、所定の時刻情報に基づいて所定のフレームを特定するフレーム特定部と、前記第１の動画像データ記憶部に対して、前記フレーム特定部で特定されたフレームを開始フレームとする所定の撮像時間内の動画像データの切り出しを指示する動画像データ切出指示部と、該動画像データ切出指示部で指示された切出動画像データを受信する動画像データ受信部と、外部の端末により入力され、前記監視エリア内で行われる所定のタスクに対する評価情報を受け付ける評価情報受付部と、前記動画像データ受信部で受信された前記切出動画像データと前記評価情報を対応付けて記憶する第２の動画像データ記憶部とを備える。
【００１１】
ここで、所定の監視エリア内を撮像する撮像部を備えることにより、例えば店舗内において、ユーザーである店舗の管理者が監視すべき対象エリアを撮像することができる。
【００１２】
また、撮像部で撮像された動画像データを記憶する第１の動画像データ記憶部を備えることにより、撮像部で撮像した動画像データを記憶部に記憶させることができる。従って、管理者はリアルタイムでの監視のみならず、管理者の都合のよい時間帯に動画像データを確認して監視作業を行うことがきる。
【００１３】
また、第１の動画像データ記憶部に記憶されている動画像データから、所定の時刻情報に基づいて所定のフレームを特定するフレーム特定部を備えることにより、管理者は、録画保存されている動画像データについて、早送りや巻き戻しを繰り返しながら必要となるフレームを探し出すという煩わしい操作をすることなく、所定の時刻情報に基づいて必要となるフレームの頭出しを速やかに行うことができる。
【００１４】
また、第１の動画像データ記憶部に対して、フレーム特定部で特定されたフレームを開始フレームとする所定の撮像時間内の動画像データの切り出しを指示する動画像データ切出指示部を備えることにより、第１の動画像データに記憶されている動画像データから、監視対象となる特定の動画像データを切り出すことができる。
【００１５】
また、動画像データ切出指示部で指示された切出動画像データを受信する動画像データ受信部を備えることにより、第１の動画像データ記憶部に記憶されている動画像データのうち、フレーム特定部で特定されたフレームを開始フレームとする所定撮像期間内の動画像データを第１の動画像データ記憶部から切り出し、必要となる動画像データのみを管理者側において受信することができる。さらに、監視エリアから離れた遠隔地においても、必要とする動画像データを受信して確認することができるため、管理者は監視対象となる店舗に出向かなくとも、従業員の作業状況の実体を把握することができる。
【００１６】
また、外部の端末により入力され、監視エリア内で行われる所定のタスクに対する評価情報を受け付ける評価情報受付部を備えることにより、管理者は、撮像部で撮像された動画像データを確認しながら、店舗内の従業員の作業状況について、改善すべき項目に対してコメントを付けたり、定型の評価項目に沿った評価の入力を行うことができる。
【００１７】
また、切出動画像データと評価情報を対応付けて記憶する第２の動画像データ記憶部を備えることにより、動画像データと管理者による評価情報が対応付けられるため、従業員の作業遂行に際して改善点や問題点を容易に把握することができる。さらに、管理者が入力した評価情報に対する第三者による評価も可能となるため、管理者教育にも役立つとともに、管理者による画一的な評価を期待することができる。
【００１８】
また、店舗管理システムは、さらに動画像解析部を備え、動画像解析部として監視エリア内において、撮像部が撮像した人の顔画像により特定の人物の認証を行う認証部を有する場合には、例えば店舗への来店客のうちから特定の人物の認証を行うことができる。
【００１９】
また、動画像解析部が、認証部で認証した特定の人物の監視エリア内における滞在開始から滞在終了までの滞在時間を計時する滞在時間計時部を有する場合には、認証部で認証した特定の人物の店舗内での滞在時間を計時することができる。
【００２０】
また、動画像解析部が、滞在時間計時部で計時した特定の人物の滞在時間が予め設定された設定時間以上であると判断された場合に異常を検知する異常検知部を有する場合には、特定の来店客が店舗内において長時間にわたって待たされていることから、従業員の作業遂行に何らかの問題が発生していると推定することができる。
【００２１】
また、フレーム特定部は、異常検知部で異常を検知した際に滞在時間計時部に記憶されている滞在開始時の時刻情報に基づいて所定のフレームを特定する場合には、店舗内における異常発生を検知することができるとともに、管理者は異常が発生した店舗内の状況について、早送りや巻き戻しを繰り返しながら必要となるフレームを探し出すという煩わしい操作をすることなく、異常発生前後の動画像データを速やかに確認することができる。
【００２２】
また、評価情報受付部は、監視対象となる所定のタスクの開始時刻情報及びタスクに対応する所定の評価項目情報を含む評価シートが記憶される評価シート記憶部、及び評価シート記憶部に記憶されている複数の評価シートの中から特定の評価シートを決定する評価シート決定部を有し、さらにフレーム特定部は、評価シート決定部で決定された評価シートに含まれる開始時刻情報に基づいて所定のフレームが特定される場合には、管理者が評価シート記憶部に記憶されている複数の評価シートの中から特定の評価シートを特定すると、評価シートに含まれる開始時刻情報に基づいて、動画像データから所定の開始フレームが特定されるとともに、特定された開始フレームから所定期間内の動画像データが切り出される。従って、管理者は、評価すべき評価シートを特定するだけで、評価シートに対応する切出動画像データを確認することができるため、早送りや巻き戻しを繰り返しながら必要となるフレームを探し出すという煩わしい操作をすることなく、所定の時刻情報に基づいて必要となるフレームの頭出しを速やかに行うことができる。
【００２３】
また、評価情報受付部は、外部端末により入力された所定の時刻情報を受け付ける時刻情報受付部を有し、さらにフレーム特定部は、時刻情報受付部で受け付けられた所定の時刻情報に基づいて所定のフレームが特定される場合には、管理者が入力した任意の時刻情報に基づいて、動画像データから所定の開始フレームが特定されるとともに、特定された開始フレームから所定期間内の動画像データが切り出される。従って、管理者は、確認すべき監視対象となる動画像データの開始フレームの時刻情報を把握している場合には、時刻情報を入力するだけで、入力された時刻情報に基づいて切出動画像データを確認することができるため、早送りや巻き戻しを繰り返しながら必要となるフレームを探し出すという煩わしい操作をすることなく、所定の時刻情報に基づいて必要となるフレームの頭出しを速やかに行うことができる。
【００２４】
また、第２の動画像データ記憶部には、切出動画像データと評価シート決定部で決定された評価シートが対応付けて記憶される場合には、動画像データと管理者により入力された評価シートが対応付けられて記憶されるため、従業員の作業遂行に際して改善点や問題点を容易に把握することができる。さらに、管理者が入力した評価情報に対する第三者による評価も可能となるため、管理者教育にも役立つとともに、管理者による画一的な評価を期待することができる。
【００２５】
また、撮像部は複数の監視エリアに対応する複数の撮像部から構成され、動画像データ切出指示部は、複数の撮像部で撮像された動画像データの中から評価情報受付部で受け付けられた評価情報と対応付けられた少なくとも１つの前記撮像部に対応する動画像データの切り出しを指示する場合には、複数の撮像部で撮像された複数の動画像データの中から、評価情報受付部で受け付けられた評価情報に関連する動画像データのみが選択されて切出動画像データとされて第２の動画像データ記憶部に記憶させることができる。
【００２６】
また、評価情報受付部は、外部端末から入力されるとともに、切出動画像データに対応するコメントを作成するコメント作成部を有し、第２の動画像データ記憶部には、動画像データ切出部で切り出された動画像データ、及びコメント作成部で作成されたコメントが対応付けて記憶される場合には、動画像データと管理者により入力されたコメントが対応付けられて記憶されるため、従業員の作業遂行に際して改善点や問題点を容易に把握することができる。さらに、管理者が入力したコメントに対する第三者による評価も可能となるため、管理者教育にも役立つとともに、管理者による画一的な評価を期待することができる。
【００２７】
また、コメント作成部は、動画像データから所定の２以上の動画像データが選択されてコメントが作成される場合には、例えば、従業員の作業状況の確認を行うに際して、１つの撮像部によるアングルだけでは全体の工程を把握することができないような場合には、複数の撮像部による動画像データを選択のうえ、他面的な視点でコメントを付することができる。
【００２８】
前記の目的を達成するために、本発明の管理サーバーは、所定の監視エリア内を撮像する撮像部により撮像された動画像データから、所定の時刻情報に基づいて所定のフレームを特定するフレーム特定部と、該フレーム特定部で特定されたフレームを開始フレームとする所定の撮像時間内の動画像データの切り出しを指示する動画像データ切出指示部と、該動画像データ切出指示部で指示された切出動画像データを受信する動画像データ受信部と、前記監視エリア内で行われる所定のタスクに対する評価情報を受け付ける評価情報受付部と、前記動画像データ受信部で受信された前記切出動画像データと前記評価情報を対応付けて記憶する動画像データ記憶部とを備える。
【００２９】
ここで、所定の監視エリア内を撮像する撮像部により撮像された動画像データから、所定の時刻情報に基づいて所定のフレームを特定するフレーム特定部を備えることにより、管理者は、録画保存されている動画像データについて、早送りや巻き戻しを繰り返しながら必要となるフレームを探し出すという煩わしい操作をすることなく、所定の時刻情報に基づいて必要となるフレームの頭出しを速やかに行うことができる。
【００３０】
また、フレーム特定部で特定されたフレームを開始フレームとする所定の撮像時間内の動画像データの切り出しを指示する動画像データ切出指示部を備えることにより、監視対象となる特定の動画像データを切り出すことができる。
【００３１】
また、動画像データ切出指示部で指示された切出動画像データを受信する動画像データ受信部を備えることにより、撮像部で撮像された動画像データのうち、フレーム特定部で特定されたフレームを開始フレームとする所定撮像期間内の動画像データを切り出し、必要となる動画像データのみを管理者側において受信することができる。さらに、監視エリアから離れた遠隔地においても、必要とする動画像データを受信して確認することができるため、管理者は監視対象となる店舗に出向かなくとも、従業員の作業状況の実体を把握することができる。
【００３２】
また、監視エリア内で行われる所定のタスクに対する評価情報を受け付ける評価情報受付部を備えることにより、管理者は、撮像部で撮像された動画像データを確認しながら、店舗内の従業員の作業状況について、改善すべき項目に対してコメントを付けたり、定型の評価項目に沿った評価の入力を行うことができる。
【００３３】
また、切出動画像データと評価情報を対応付けて記憶する動画像データ記憶部を備えることにより、動画像データと管理者による評価情報が対応付けられるため、従業員の作業遂行に際して改善点や問題点を容易に把握することができる。さらに、管理者が入力した評価情報に対する第三者による評価も可能となるため、管理者教育にも役立つとともに、管理者による画一的な評価を期待することができる。
【００３４】
前記の目的を達成するために、本発明の店舗管理方法は、所定の監視エリア内を撮像部により撮像するステップと、前記撮像部で撮像された動画像データを第１の動画像データ記憶部に記憶するステップと、前記第１の動画像データ記憶部に記憶されている動画像データから、所定の時刻情報に基づいて所定のフレームを特定するステップと、該フレームを特定するステップで特定された所定のフレームを開始フレームとする所定の撮像時間内の動画像データの切り出しを、前記第１の動画像データに対して指示するステップと、切り出された切出動画像データを受信するステップと、前記監視エリア内で行われる所定のタスクに対する評価情報を受け付けるステップと、前記切出動画像データと前記評価情報を対応付けて第２の記憶部に記憶するステップとを備える。
【００３５】
ここで、所定の監視エリア内を撮像部により撮像するステップを備えることにより、例えば店舗内において、ユーザーである店舗の管理者が監視すべき対象エリアを撮像することができる。
【００３６】
また、撮像部で撮像された動画像データを第１の動画像データ記憶部に記憶するステップを備えることにより、撮像部で撮像した動画像データを記憶させることができる。
【００３７】
また、第１の動画像データ記憶部に記憶されている動画像データから、所定の時刻情報に基づいて所定のフレームを特定するステップを備えることにより、管理者は、録画保存されている動画像データについて、早送りや巻き戻しを繰り返しながら必要となるフレームを探し出すという煩わしい操作をすることなく、所定の時刻情報に基づいて必要となるフレームの頭出しを速やかに行うことができる。
【００３８】
また、第１の動画像データに対して、所定のフレームを開始フレームとする所定の撮像時間内の動画像データの切り出しを指示するステップを備えることにより、監視対象となる特定の動画像データを切り出すことができる。
【００３９】
また、切り出された切出動画像データを受信するステップを備えることにより、撮像部で撮像された動画像データのうち、特定されたフレームを開始フレームとする所定撮像期間内の動画像データを切り出し、必要となる動画像データのみを管理者側において受信することができる。さらに、監視エリアから離れた遠隔地においても、必要とする動画像データを受信して確認することができるため、管理者は監視対象となる店舗に出向かなくとも、従業員の作業状況の実体を把握することができる。
【００４０】
また、監視エリア内で行われる所定のタスクに対する評価情報を受け付けるステップを備えることにより、管理者は、撮像部で撮像された動画像データを確認しながら、店舗内の従業員の作業状況について、改善すべき項目に対してコメントを付けたり、定型の評価項目に沿った評価の入力を行うことができる。
【００４１】
また、切出動画像データと評価情報を対応付けて第２の記憶部に記憶するステップを備えることにより、動画像データと管理者による評価情報が対応付けられるため、従業員の作業遂行に際して改善点や問題点を容易に把握することができる。さらに、管理者が入力した評価情報に対する第三者による評価も可能となるため、管理者教育にも役立つとともに、管理者による画一的な評価を期待することができる。
【発明の効果】
【００４２】
本発明に係る店舗管理システム、管理サーバー、及び店舗管理方法は、動画像データの中から着目すべき監視対象を迅速かつ正確に特定し、適切な経営指導を行うことできるものとなっている。
【図面の簡単な説明】
【００４３】
【図１】本発明の実施形態に係る店舗管理システムの概要を示す図である。
【図２】本発明の実施形態に係る店舗管理システムの内部構成を示す図である。
【図３】本発明の実施形態に係る店舗管理システムが採用される店舗レイアウトを示す図である。
【図４】本発明の実施形態に係る店舗管理システムにおいて、管理者が使用する評価シートの一例を示す図である。
【図５】本発明の実施形態に係る店舗管理システムにおいて、コメント作成部で作成される指導メモの一例を示す図である。
【図６】本発明の実施形態に係る店舗管理システムにおいて、動画像解析部による解析内容を示す図である。
【図７】本発明の実施形態に係る店舗管理システムにおいて、第２の動画像データ記憶部に記憶される一覧表の一例を示す図である。
【図８】本発明の実施形態に係る店舗管理方法を示すフロー図である。
【発明を実施するための形態】
【００４４】
以下、店舗管理システム、管理サーバー、及び店舗管理方法に関する本発明の実施の形態について、図面を参照しながら説明し、本発明の理解に供する。
【００４５】
まず、本発明の実施形態に係る店舗管理システム１の全体構成について図１を用いて説明する。図１に示すように、本発明の実施形態に係る店舗管理システム１は、監視対象となる複数の店舗２、管理サーバー３、及びユーザーである管理者が使用するパーソナルコンピュータ（ＰＣ）としての利用者端末４がインターネット回線５を介して互いに通信可能なように接続されている。
【００４６】
ここで、必ずしも、店舗２、管理サーバー３、及び利用者端末４はインターネット回線５を介して互いに接続されている必要はなく、その他のいかなる通信手段により接続されていてもよい。
【００４７】
また、必ずしも、利用者端末４はパーソナルコンピュータである必要はない。例えば、携帯端末、タブレット型端末等、通信機能を有する情報処理端末であれば特に限定されるものではない。
【００４８】
次に、図２を用いて店舗管理システム１を構成する店舗２、及び管理サーバー３の詳細な内部構成について説明する。
【００４９】
［店舗］
店舗２は、例えばコンビニエンスストア等の小売店、テイクアウト専用の弁当店やファミリーレストラン等の飲食店等のように多店舗を展開するＦＣ制度を採用する店舗や、１人のオーナーが同時に複数の店舗を運営する形態が想定される。なお、図２中では、店舗２のシステム構成としては、説明の便宜上、代表的な１店舗のみを記載しているが、他の店舗にも同様なシステムが採用されているものとする。
【００５０】
［カメラ］
店舗２には、適所に設置されたカメラ２１により店舗内外の状況が撮像される。カメラ２１は、例えば弁当店やファミリーレストラン等の飲食店であれば、厨房、レジ、客席や待合スペース、及び店舗出入口等の所定の適所、コンビニエンスストア等の小売店であればレジ、各売場、バックヤード、及び店舗出入口等の所定の適所をそれぞれ撮像できるように複数台が設置されている。カメラ２１は、アナログカメラ、ネットワークカメラ等、特にその種類を問わずに設置することができる。
【００５１】
図３は、店舗２として弁当店の一般的なレイアウトを示す図である。店舗２内には、出入口２３、弁当を注文した来店客の待合スペースであるホール２４、レジカウンター２５、厨房２６、及び券売機２７が設けられており、店舗２内には、これら各スペースの状況が把握できるように少なくとも４台のカメラ２１が設置されている。
【００５２】
ここで、必ずしも、カメラ２１は複数台が設置される必要はない。従業員の作業監視上、必要な適所に、必要な台数のカメラを設置すればよく、特定の作業工程を監視したい場合には、店舗２内に１台のカメラ２１のみを設置してもよい。
【００５３】
［動画像データ一時記憶部］
動画像データ一時記憶部２２は、前記した複数のカメラ２１により撮像されたリアルタイムの動画像データを一時的に録画保存するための記憶装置である。動画像データ一時記憶部２２には、例えばカメラ２１により撮像された２日分の動画像データが記憶されている。当該動画像データ一時記憶部２２に一時的に録画保存された動画像データは、店舗２、または管理サーバー３が設置されるＦＣ本部等に設けられた利用者端末４を介して、管理者がリアルタイムで閲覧したり、或いは過去の動画像データを閲覧したりすることができるとともに、後述する管理サーバー３に設置された第１の動画像データ記憶部３１に転送されるようになっている。
【００５４】
ここで、必ずしも、動画像データ一時記憶部２２を有している必要はない。例えば、各店舗２のカメラ２１で撮像された動画像データは、後述する管理サーバー３に設置された第１の動画像データ記憶部３１に直接転送されるように構成されていてもよく、また、動画像データ一時記憶部２２に代えて、店舗２内に第１の動画像データ記憶部３１を設置してもよい。但し、動画像データ一時記憶部２２を介して動画像データを第１の動画像データ記憶部３１に転送することにより、動画像データ一時記憶部２２が動画像データのバックアップとしての機能を有するとともに、動画像データ一時記憶部２２を介して管理サーバー３に動画像データを転送することができるため、管理サーバー３の負荷を低減することができる。
【００５５】
［管理サーバー］
管理サーバー３は、例えばＦＣ本部や、１人のオーナーが多店舗を運営する場合には、そのうちの１つの代表的な店舗内に設置されるものである。この管理サーバー３は、主に、第１の動画像データ記憶部３１、フレーム特定部３２、動画像データ切出指示部３３、動画像データ受信部３４、第２の動画像データ記憶部３５、評価情報受付部３６、動画像解析部３７から構成されている。以下、それぞれの構成について詳細に説明する。
【００５６】
［第１の動画像データ記憶部］
第１の動画像データ記憶部３１は、前記した動画像データ一時記憶部２２から転送される動画像データを記憶するための記憶装置である。動画像データ一時記憶部２２から第１の動画像データ記憶部３１には、約１０分間隔で動画像データが転送され、各店舗２における約１週間分の動画像データが記憶されるようになっている。
【００５７】
［フレーム特定部］
フレーム特定部３２は、第１の動画像データ記憶部３１に記憶されている動画像データから所定の動画像データの画像フレームを特定する機能を有する。具体的には、管理者が確認したい動画像データについて店舗情報、時刻情報、及びカメラ情報等を指定することで、第１の動画像データ記憶部３１に記憶されている動画像データから、指定された店舗内の指定されたカメラで撮像された動画像データであって、指定された時刻情報に基づくフレームを特定することができる。そして、後述する通り、特定されたフレームを開始フレームとする所定時間の動画像データは、切出動画像データとして動画像データ切出指示部３３に送信される。
【００５８】
［動画像データ切出指示部］
動画像データ切出指示部３３は、フレーム特定部３２で特定されたフレーム情報（店舗情報、カメラ情報、時刻情報）に基づいて、第１の動画像データ記憶部３１に記憶されている動画像データから、特定の動画像データのフレームを開始フレームとして特定し、該開始フレームから所定の時間内（例えば略１時間程度）の動画像データを切出動画像データとして、データの切り出しを指示する機能を有する。
【００５９】
ここで、必ずしも、フレーム特定部３２と動画像データ切出指示部３３は別体で構成されている必要はない。例えば、動画像データ切出指示部３３内にフレーム特定部３２が組み込まれるように、フレーム特定部３２と動画像データ切出指示部３３は一体的に構成されていてもよい。
【００６０】
また、必ずしも、フレーム特定部３２で特定されるフレーム情報として、店舗情報、カメラ情報、及び時刻情報に基づき特定される必要はない。少なくとも時刻情報のみを有していればよく、その他の情報は適宜設定することができる。
【００６１】
また、必ずしも、動画像データ切出指示部３３で切り出しが指示される切出動画像データは、フレーム特定部３２で特定された開始フレームを起点として略１時間程度の動画像データである必要はない。動画像データ切出指示部３３で指示される切出動画像データのデータ時間は管理者において任意に設定することが可能である。
【００６２】
［動画像データ受信部］
動画像データ受信部３４は、第１の動画像データ記憶部３１に記憶されている動画像データのうち、動画像データ切出指示部３３で指示された開始フレームから所定時間分の切出動画像データを受信する機能を有する。このように、管理者が監視のために必要な動画像データのみを切り出してＦＣ本部に設置される管理サーバー３で受信することができるため、管理サーバー３の演算負荷を低減することができるとともに、監視対象となる必要な動画像データのみを受信することで、監視作業の効率化を図ることができる。
【００６３】
［評価情報受付部］
評価情報受付部３６は、管理者が動画像データに基づいた評価を行う際に必要となる情報が記憶、演算されるシステムであり、主に評価シート記憶部３６１、評価シート決定部３６２、及びコメント作成部３６３から構成されている。
【００６４】
［評価シート記憶部］
評価シート記憶部３６１は、従業員が勤務時間内に行うべき業務（以下、「タスク」という。）について、ＦＣ本部等が作成した業務マニュアルに沿って適切に行われているかを評価するための評価シートＳが記憶されているデータベースである。この評価シートＳとしては、例えば図４に示すように、サービスの品質や接客態度の指標となるチェック項目がリスト化されたものである。そして、各チェック項目に対する評価記入欄が設けられており、管理者は動画像データ受信部３４で受信した動画像データを確認しながら、評価シートＳのチェック項目に従い、各従業員のタスクに対する作業状況の評価（以下、「定期サービスチェック」という。）を行う。
【００６５】
具体的には、従業員の作業が、チェック項目に記載されている各項目の達成基準を満たしている場合には「○」、改善が必要な場合には「×」を、利用者端末４を介して入力できるようになっている。また、評価シートＳには、今回の評価に加え、「前々回」、「前回」の評価結果も確認できるようになっており、過去の評価と対比が可能となっている。
【００６６】
ここで、必ずしも、評価シートＳとして、図４に例示するチェック項目がリスト化されたものである必要はない。図４の評価シートは例示であって、評価項目の内容は適宜変更することが可能である。
【００６７】
また、必ずしも、評価指標として「○」、「×」の２段階評価である必要はない。例えば３段階以上の評価としてもよく、また、評価指標として数字等の他の評価指標を採用してもよい。
【００６８】
定期サービスチェックを行う時間帯は、例えば、開店直後（１０時）、混雑時間帯である昼食時（１２時）や夕食時（１９時）、閉店直前（２２時）のように、ＦＣ本部等において予め決められている。そして、各時間帯に応じた評価シートＳが準備されており、各評価シートＳは、評価が行われるべき開始時刻に対応する時刻情報や店舗情報、さらには対象となるカメラ情報とともに評価シート記憶部３６１に記憶される。
【００６９】
ここで、必ずしも、定期サービスチェックを行う時間帯としては、前記した時間帯に限定されるものではなく、ＦＣ本部等が適宜変更することができる。
【００７０】
また、必ずしも、評価シートＳは、評価が行われるべき開始時刻に対応する時刻情報等とともに評価シート記憶部３６１に記憶されている必要はない。例えば管理者が、時刻情報等を利用者端末４から直接入力するようにしてもよい。但し、時刻情報等とともに各評価シートＳが評価シート記憶部３６１に記憶されていることにより、管理者が所定の評価シートＳを特定することで、必要となる動画像データのフレームの頭出しを自動的に行うことができる。そのため、管理者が早送りや巻き戻しを繰り返しながら必要となるフレームを探し出すという煩わしい操作をすることなく、また、時刻情報等を手入力することなく必要な動画像データの中から必要なフレームの頭出しを自動的に行うことができる。
【００７１】
［評価シート決定部］
評価シート決定部３６２は、評価シート記憶部３６１に記憶されている評価シートＳから、管理者が任意に選択した評価シートＳを決定し、前述のフレーム特定部３２にその情報を送信する機能を有している。評価シート決定部３６２からの情報を受信したフレーム特定部３２は、選択された評価シートＳの対象店舗、開始時刻、及び対象カメラを特定し、当該情報を動画像データ切出指示部３３に送信する。情報を受信した動画像データ切出指示部３３は、対象の店舗２の第１の動画像データ記憶部３１に記憶されている動画像データから、特定の動画像データの頭出しの指示を行う。
【００７２】
ここで、必ずしも、評価シート記憶部３６１と評価シート決定部３６２は別体で構成されている必要はない。例えば、評価シート記憶部３６１内に評価シート決定部３６２が組み込まれるように、評価シート記憶部３６１と評価シート決定部３６２は一体的に構成されていてもよい。
【００７３】
［コメント作成部］
コメント作成部３６３は、管理者が動画像データ受信部３４で受信した動画像データを確認しながら、評価シートＳに従ってタスクに対する従業員の作業状況を評価する際に、特に懸念される場面に対して具体的なコメントを作成して、指導メモＭとして残す機能を有している。そして、作成された指導メモＭは、第２の動画像データ記憶部３５に関連する動画像データとともに保存される。
【００７４】
図５は、コメント作成部３６３で作成される指導メモＭの一例を示す。コメント作成部３６３の作成が指示されると、まず、対象となる動画像データのうちの１フレームが画像データとして管理者により特定される。特定された画像データは、複数のカメラ２１から選択することが可能である。例えば、図５においては、ホール２４のカメラ２１と、厨房２６のカメラ２１の画像データが並べられ、その際の問題点をコメントとして入力される。そして、作成された指導メモは、店舗情報、日時等の時刻情報とともに、第２の動画像データ記憶部３５に記憶される。
【００７５】
ここで、必ずしも、コメント作成部３６３を有している必要はない。但し、コメント作成部３６３を有していることにより、管理者が評価シートＳに従って従業員が行うべきタスクに対する作業状況を評価する際に、評価シートＳに従った「○」「×」による評価だけでなく、より具体的な評価内容をコメントとして記載することができる。従って、従業員に対するフィードバックをより具体的、かつ的確に行うことができる。
【００７６】
［動画像解析部］
動画像解析部３７は、店舗２内における作業工程上の異常を、例えば来店客や従業員の行動形態から推定し、異常が発生した前後のフレームを特定し、該フレームを開始フレームとする所定期間内の動画像データの切り出しを第１の動画像データ記憶部３１に指示するものであって、主に認証部３７１、滞在時間計時部３７２、及び異常検知部３７３から構成されている。
【００７７】
ここで、「異常」とは、例えば来店客が店舗２に来店して注文を受け付けてから商品の受け取りまでに、所定の基準時間を超えて商品の受け取りを完了したような場合に、店舗２内において従業員の作業工程に何らかの異常が発生しているものと推定する。
【００７８】
［認証部］
認証部３７１は、カメラ２１で撮像された動画像データに写っている来店客を、顔認証に基づき判別する機能を有している。ここでカメラ２１は、例えば図６（ａ）に示すように、商品の注文を行う券売機２７、及びレジカウンター２５越しに来店客の顔を判別し易い位置に設けることで、顔認証がより確実に行える。そして、認証部３７１は、来店客が来店時に券売機２７で商品を選択する購入時、注文した弁当の受け取りと代金を支払う受取時のそれぞれについカメラ２１にて顔認証を行う。
【００７９】
ここで、必ずしも、カメラ２１は券売機２７、及びカウンター２５越しにそれぞれ設置する必要はない。例えば、券売機２７を有しない店舗２においては、カウンター２５越しのカメラ２１のみで顔認証を行うようにしてもよい。
【００８０】
［滞在時間計時部］
滞在時間計時部３７２は、認証部３７１で認証した特定の来店客の店舗２内での滞在時間を計時する。具体的には、図６（ｂ）に示すように、特定の来店客が来店し、券売機２７で商品の注文を行う注文時に認証部３７１で認証された時間を開始時刻として記憶する。次に、注文した弁当の受取時に、再度来店客の顔認証を認証部３７１により行い、先に顔認証した人物と同一人物であると判断された場合には、その時刻を終了時刻として記憶する。そして、来店客ごとに終了時刻と開始時刻の差分から、店舗２内で滞在時間を推定する。
【００８１】
［異常検知部］
異常検知部３７３は、滞在時間計時部３７２で計時された来店客ごとの店舗２内の推定滞在時間から、予め設定した閾値となる滞在時間（例えば５分間）を超えているか否かの判定を行う。この時、商品の注文から受け取りまでに、５分間以上を要した来店客がいたことを異常検知部３７３が検知した場合には、滞在時間計時部３７２に記憶されている当該来店客の開始時刻情報が前記したフレーム特定部３２を介して動画像データ切出指示部３３に送信される。そして、動画像データ切出指示部３３から第１の動画像データ記憶部３１に対して、特定の来店客の認証部３７１により認証を開始した開始時刻を開始フレームとして、所定の時間分の動画像データが切り出され、ＦＣ本部に送信される。
【００８２】
ここで、必ずしも、滞在時間計時部３７２で計時される滞在時間は、来店客がレジカウンターで商品を注文した後、受け取りまでに要する時間とする必要はない。滞在時間の定義は適宜設定することができる。
【００８３】
また、必ずしも、異常検知部３７３で検知する滞在時間として５分間である必要はない。異常検知のための閾値については、適宜変更することができる。
【００８４】
［第２の動画像データ記憶部］
第２の動画像データ記憶部３５は、前述した第１の動画像データ記憶部３１に記憶されている動画像データのうち、動画像データ受信部３４で受信した切出動画像データ、管理者が作成した評価シートＳ、及び指導メモＭをそれぞれ対応付けて記憶するための記憶装置である。これら各データは、評価の日時、対象店舗、評価の実施者、及び評価項目に応じたフォルダ毎に整理されて記憶されている。
【００８５】
そして、管理者は利用者端末４を介して第２の動画像データ記憶部３５にアクセスすると、例えば図７に示すような一覧表画面が表示されるようになっている。この一覧表画面には、評価を実施した日時、対象店舗、実施者、及びチェック対象項目が一覧表となって表示されており、管理者は、担当する店舗の評価の実施状況等を一目で確認できるようになっている。さらに、各項目の「確認」ボタンを押すと、関連する動画像データと評価シートが各フォルダから呼び出され、評価内容の詳細（動画像データと評価情報）を確認することができるものとなっている。
【００８６】
次に、本発明の実施形態に係る店舗管理システムを使用した店舗管理方法について図８のフロー図を用いて説明する。
【００８７】
［カメラによる監視エリア内の撮像：ステップ１］
まず、各店舗２内に設置されたカメラ２１により、所定の監視エリア内の撮像が行われる。この時、前記した通り、カメラ２１は、監視すべきエリアに対応してそれぞれ設置されるようになっている。
【００８８】
［第１の動画像データ記憶部への記憶：ステップ２］
カメラ２１で撮像された動画像データは、動画像データ一時記憶部２２を介して第１の動画像データ記憶部３１に記憶される。なお、動画像データ一時記憶部２２、及び第１の動画像データ記憶部３１への動画像データの保存期間は、管理者において任意に設定することもできる。このとき、任意に設定した保存期間を過ぎると、撮像された動画像データは自動的に削除されるため、第１の動画像データ記憶部３１の記憶容量の制限を超えるとがなく、常に新しい動画像データを記憶することができる。
【００８９】
［所定のフレームの特定：ステップ３］
評価シート記憶部３６１に記憶されている所定のタスクに対応する評価シートＳの時刻情報、動画像解析部３７の異常検知部３７３で異常が検知された際の特定の来店客の認証部３７１による認証開示時刻に基づく時刻情報、或いは管理者が利用者端末４から直接入力された時刻情報等に基づいて、フレーム特定部３２を介して第１の動画像データ記憶部３１に記憶されている所定の動画像データから所定のフレームが特定される。
【００９０】
［動画像データの切り出し：ステップ４］
ステップ３で特定されたフレームを開始フレームとして、所定の撮像時間の動画像データが切出動画像データとして第１の動画像データ記憶部３１から切り出される。
【００９１】
［切出動画像データの受信：ステップ５］
ステップ４で、第１の動画像データ記憶部３１から切り出された切出動画像データをＦＣ本部の管理サーバー３（動画像データ受信部３４）において受信する。
【００９２】
［切出動画像データに基づくタスクの評価：ステップ６］
動画像データ受信部３４で受信した切出動画像データに基づいて、管理者は、従業員が行うべきタスクに対する作業状況の評価を行う。このとき、前記した評価シートＳに従った評価に加え、特に気になる点については、コメント作成部３６３により指導メモＭを作成することができる。
【００９３】
［切出動画像データと評価情報の第２の動画像データ記憶部への記憶：ステップ７］
ステップ６で作成された評価シートＳ、または指導メモＭは、対応する切出動画像データとともに、第２の動画像データ記憶部３５に記憶される。
【００９４】
以上、本発明に係る店舗管理システム、管理サーバー、及び店舗管理方法は、動画像データの中から着目すべき監視対象を迅速かつ正確に特定し、適切な経営指導を行い得るものとなっている。
【符号の説明】
【００９５】
１      店舗管理システム
２      店舗
２１      カメラ
２２      第１の動画像データ記憶部
２３      出入口
２４      ホール
２５      レジカウンター
２６      厨房
２７      券売機
３      管理サーバー
３１      第１の動画像データ記憶部
３２      フレーム特定部
３３      動画像データ切出指示部
３４      動画像データ受信部
３５      第２の動画像データ記憶部
３６      評価情報受付部
３６１      評価シート記憶部
３６２      評価シート決定部
３６３      コメント作成部
３７      動画像解析部
３７１      認証部
３７２      滞在時間計時部
３７３      異常検知部
４      利用者端末
５      インターネット回線
Ｓ      評価シート
Ｍ      指導メモ
Ｌ      チェック一覧表
【図１】
2020027384.tif 000003
【図２】
2020027384.tif 000004
【図３】
2020027384.tif 000005
【図４】
2020027384.tif 000006
【図５】
2020027384.tif 000007
【図６】
2020027384.tif 000008
【図７】
2020027384.tif 000009
【図８】
2020027384.tif 000010